【手続補正書】
【提出日】平成28年7月14日(2016.7.14)
【手続補正１】
【補正対象書類名】特許請求の範囲
【補正対象項目名】全文
【補正方法】変更
【補正の内容】
【特許請求の範囲】
【請求項１】
車両のフロントウインドシールド（６）に向けて映像光を投射し、該フロントウィンドシールドに反射した映像情報を虚像として表示する光学ユニット（２）と、
前記フロントウインドシールドに前記映像情報を表示するように前記光学ユニットを制御する表示制御装置（１１）と、
前記車両状態を特定する車両状態特定手段と、を備え、
前記表示制御装置は、前記車両状態特定手段により特定された前記車両状態に従って前記車両の運転者の視界が確保される方向に、前記映像情報の表示位置を移動させるように前記光学ユニットを制御し、前記フロントウインドシールドに規定された前記映像情報の表示を許可する表示許可領域（２００）に前記映像情報を表示するようになっており、さらに、前記表示情報を含む前記表示許可領域の全体を移動させる全体移動量を特定する全体移動量特定手段を備え、該全体移動量特定手段により特定された全体移動量だけ、前記表示情報を含む前記表示許可領域の全体を移動させるように前記光学ユニットを制御することを特徴とするヘッドアップディスプレイ装置。 
【請求項２】
前記表示制御装置は、前記全体移動量特定手段により特定された全体移動量だけ前記映像情報を含む前記表示許可領域の全体を移動させたときに、移動方向の前記表示許可領域に前記映像情報を表示する領域が確保されるか否かを判定する領域確保判定手段を備え、
前記領域確保判定手段により前記移動方向の前記表示許可領域に前記映像情報を表示する表示領域が確保されないと判定された場合、該表示領域が確保されない前記映像情報を非表示とするように前記光学ユニットを制御することを特徴とする請求項１に記載のヘッドアップディスプレイ装置。
【請求項３】
前記表示制御装置は、前記領域確保判定手段により前記移動方向の前記表示許可領域に前記映像情報を表示する領域が確保されると判定された場合、前記移動方向の前記映像情報の表示位置を前記表示許可領域の端部側に個別に移動させることなく前記映像情報を表示する領域が確保されるか否かを判定する個別移動判定手段を備え、
前記個別移動判定手段により前記移動方向の前記映像情報の表示位置を前記表示許可領域の端部側に個別に移動させることなく前記映像情報を表示する領域が確保されると判定された場合、該移動方向の前記映像情報の表示位置を表示可能となる位置に個別に移動させることなく、前記映像情報を含む前記表示許可領域の位置を全体的に移動させるように前記光学ユニットを制御することを特徴とする請求項２に記載のヘッドアップディスプレイ装置。
【請求項４】
前記表示制御装置は、前記個別移動判定手段により前記移動方向の前記映像情報の表示位置を前記表示許可領域の端部側に個別に移動させることにより前記映像情報を表示する領域が確保されると判定された場合、該移動方向の前記映像情報の表示位置を前記表示許可領域の端部側に個別に移動させつつ、前記映像情報を含む前記表示許可領域の位置を全体的に移動させるように前記光学ユニットを制御することを特徴とする請求項３に記載のヘッドアップディスプレイ装置。
【請求項５】
車両のフロントウインドシールド（６）に向けて映像光を投射し、該フロントウィンドシールドに反射した映像情報を虚像として表示する光学ユニット（２）と、
前記フロントウインドシールドに前記映像情報を表示するように前記光学ユニットを制御する表示制御装置（１１）と、
前記車両状態を特定する車両状態特定手段と、を備え、
前記表示制御装置は、前記車両状態特定手段により特定された前記車両状態に従って前記車両の運転者の視界が確保される方向に、前記映像情報の表示位置を移動させるように前記光学ユニットを制御し、
前記車両状態特定手段は、前記車両の方向指示灯を制御するための方向指示レバーの操作に応じた信号に基づいて前記車両が右折するか左折するかを特定し、
前記表示制御装置は、前記車両状態特定手段により前記車両が右折すると特定された場合、前記フロントウインドシールドの右側半分の領域の前記映像情報を非表示とするように前記光学ユニットを制御し、前記車両状態特定手段により前記車両が左折すると特定された場合、前記フロントウインドシールドの右側半分の領域の前記映像情報を非表示とするように前記光学ユニットを制御することを特徴とするヘッドアップディスプレイ装置。
【請求項６】
前記表示制御装置は、前記車両状態特定手段により前記車両が上り坂走行時の状態と特定された場合、下方向に前記表示情報の表示位置を移動させることを特徴とする請求項１ないし５のいずれか１つに記載のヘッドアップディスプレイ装置。
【請求項７】
前記表示制御装置は、前記車両状態特定手段により前記車両が下り坂走行時の状態と特定された場合、上方向に前記表示情報の表示位置を移動させることを特徴とする請求項１ないし６のいずれか1つに記載のヘッドアップディスプレイ装置。
【請求項８】
前記表示制御装置は、前記車両状態特定手段により前記車両が右旋回している状態と特定された場合、右方向に前記表示情報の表示位置を移動させることを特徴とする請求項１ないし７のいずれか１つに記載のヘッドアップディスプレイ装置。
【請求項９】
前記表示制御装置は、前記車両状態特定手段により前記車両が左旋回している状態と特定された場合、左方向に前記表示情報の表示位置を移動させることを特徴とする請求項１ないし８のいずれか１つに記載のヘッドアップディスプレイ装置。
【請求項１０】
前記車両状態特定手段は、前記車両が姿勢の変動の大きな悪路を走行中か否かを判定するための情報に基づいて前記車両が姿勢の変動の大きな悪路を走行中か否かを特定し、
前記表示制御装置は、前記車両状態特定手段により前記悪路を走行中であると特定された場合、全ての前記映像情報の表示を禁止するように前記光学ユニットを制御することを特徴とする請求項１ないし９のいずれか１つに記載のヘッドアップディスプレイ装置。
【手続補正２】
【補正対象書類名】明細書
【補正対象項目名】０００７
【補正方法】変更
【補正の内容】
【０００７】
上記目的を達成するため、請求項１に記載の発明は、車両のフロントウインドシールド（６）に向けて映像光を投射し、該フロントウィンドシールドに反射した映像情報を虚像として表示する光学ユニット（２）と、フロントウインドシールドに映像情報を表示するように光学ユニットを制御する表示制御装置（１１）と、車両状態を特定する車両状態特定手段と、を備え、表示制御装置は、車両状態特定手段により特定された車両状態に従って車両の運転者の視界が確保される方向に、映像情報の表示位置を移動させるように光学ユニットを制御し、フロントウインドシールドに規定された映像情報の表示を許可する表示許可領域（２００）に映像情報を表示するようになっており、さらに、表示情報を含む表示許可領域の全体を移動させる全体移動量を特定する全体移動量特定手段を備え、該全体移動量特定手段により特定された全体移動量だけ、表示情報を含む表示許可領域の全体を移動させるように光学ユニットを制御することを特徴としている。
【手続補正３】
【補正対象書類名】明細書
【補正対象項目名】０００８
【補正方法】変更
【補正の内容】
【０００８】
このような構成によれば、表示制御装置は、車両状態に従って車両の運転者の視界が確保される方向に、映像情報の表示位置を移動させるように光学ユニットを制御するので、車両状態に適した表示位置に映像情報を表示することができる。
また、上記目的を達成するため、請求項５に記載の発明は、車両のフロントウインドシールド（６）に向けて映像光を投射し、該フロントウィンドシールドに反射した映像情報を虚像として表示する光学ユニット（２）と、フロントウインドシールドに映像情報を表示するように光学ユニットを制御する表示制御装置（１１）と、車両状態を特定する車両状態特定手段と、を備え、表示制御装置は、車両状態特定手段により特定された車両状態に従って車両の運転者の視界が確保される方向に、映像情報の表示位置を移動させるように光学ユニットを制御し、車両状態特定手段は、車両の方向指示灯を制御するための方向指示レバーの操作に応じた信号に基づいて車両が右折するか左折するかを特定し、表示制御装置は、車両状態特定手段により車両が右折すると特定された場合、フロントウインドシールドの右側半分の領域の映像情報を非表示とするように光学ユニットを制御し、車両状態特定手段により車両が左折すると特定された場合、フロントウインドシールドの右側半分の領域の映像情報を非表示とするように光学ユニットを制御することを特徴としている。
このような構成によれば、表示制御装置は、車両状態に従って車両の運転者の視界が確保される方向に、映像情報の表示位置を移動させるように光学ユニットを制御するので、車両状態に適した表示位置に映像情報を表示することができる。